(57)【要約】【課題】遮蔽材がヘッドボックス又はボトムレールに安定して固定されるとともに、容易に取外すことができるハニカムスクリーンを提供すること。【解決手段】遮蔽材２の複数の筒体２１のうち最上のものと最下のものの少なくとも一方を他の筒体に隣接しない箇所が切断されて第１の生地端部２１ａ１及び第２の生地端部２１ａ２が形成された端部筒体２１ａとし、端部筒体２１ａの第１の生地端部２１ａ１及び第２の生地端部２１ａ２を固定し、ヘッドボックス３又はボトムレール４に係止される生地固定具５を備え、ヘッドボックス３又はボトムレール４に生地固定具５を把持する把持具３１，３２を備えるハニカムスクリーンを提供する。【選択図】図３
2019173517.tif 000002
【特許請求の範囲】
【請求項１】
生地によって形成された折畳可能な複数の筒体を上下に連接した遮蔽材を有するハニカムスクリーンにおいて、
前記上下に連接した複数の筒体のうち最上のもの又は最下のものは、他の筒体に隣接しない面が切断されて第１の生地端部及び第２の生地端部が形成された端部筒体であり、
前記端部筒体の前記２の生地端部を固定する生地固定具を備えることを特徴とする、ハニカムスクリーン。
【請求項２】
前記端部筒体の筒の軸に垂直な断面において、生地から前記第１の生地端部に向かう線と生地から前記第２の生地端部に向かう線とが対向することを特徴とする、請求項１に記載のハニカムスクリーン。
【請求項３】
ヘッドボックス又はボトムレールに前記生地固定具を把持する把持具を備えることを特徴とする、請求項１又は２に記載のハニカムスクリーン。
【請求項４】
前記生地固定具のヘッドボックス又はボトムレールから離間した側は、前記端部筒体の生地によって被覆されることを特徴とする、請求項３に記載のハニカムスクリーン。
【請求項５】
前記生地固定具は、板状であり、一面側に前記端部筒体が存し、他面がヘッドボックス又はボトムレールに対向することを特徴とする、請求項１〜４のいずれか１項に記載のハニカムスクリーン。
【請求項６】
生地によって形成された折畳可能な複数の筒体を上下に連接した遮蔽材を有するハニカムスクリーンにおいて、
前記上下に連接した複数の筒体のうち最上のもの又は最下のものは、他の筒体に隣接しない面が切断されて第１の生地端部及び第２の生地端部が形成された端部筒体であり、
前記端部筒体の前記第１の生地端部を固定する第１の生地固定具と前記第２の生地端部を固定する第２の生地固定具とを備えることを特徴とする、ハニカムスクリーン。
【請求項７】
前記第１の生地固定具には前記第１の生地端部の筒体内側の面が接して固定され、前記第２の生地固定具には前記第２の生地端部の筒体外側の面が接して固定されることを特徴とする、請求項６に記載のハニカムスクリーン。
【請求項８】
ヘッドボックス又はボトムレールに前記第１の生地固定具及び前記第２の生地固定具を把持する２の把持具を備えることを特徴とする、請求項6又は７に記載のハニカムスクリーン。
【請求項９】
前記第１の生地固定具及び前記第２の生地固定具のヘッドボックス又はボトムレールから離間した側は、前記端部筒体の生地によって被覆されることを特徴とする、請求項６に記載のハニカムスクリーン。
【請求項１０】
前記第１の生地固定具及び前記第２の生地固定具は、板状であり、一面側に前記端部筒体が存し、他面がヘッドボックス又はボトムレールに対向することを特徴とする、請求項６〜９のいずれか１項に記載のハニカムスクリーン。
【請求項１１】
前記把持具及び前記生地固定具の一方に凸部を、他方に凹部を備え、
前記凸部を前記凹部に押入して嵌合させることによって前記把持具が前記生地固定具を把持することを特徴とする、請求項１〜１０のいずれか１項に記載のハニカムスクリーン。
【請求項１２】
前記把持具は、前記生地固定具の端部を係止する係止部を備えることを特徴とする、請求項１１に記載のハニカムスクリーン。
【発明の詳細な説明】
【技術分野】
【０００１】
本発明は、ハニカムスクリーンに関する。
【背景技術】
【０００２】
生地によって形成された折畳可能な複数の筒体を上下に連接した遮蔽材を有し、筒体を折畳む／伸ばすことで透光／遮光を行うハニカムスクリーンが知られている。
【０００３】
ハニカムスクリーンにおいては、遮蔽材の洗浄又は交換のため、遮蔽材をヘッドボックス又はボトムレールから取外すことが考えられる。しかし、多くのハニカムスクリーンにおいて遮蔽材がヘッドボックス及びボトムレールに組付けられていたため、かかる取外しは煩雑であった。
【０００４】
この問題に対応するものとして、特許文献１には遮蔽材の最上部の筒体に板材を嵌挿する仕組みが開示されている。嵌挿された板材によって遮蔽材をヘッドボックスに吊持させるものである。
【０００５】
しかし、嵌挿される板材が取外しのために屈曲するので、遮蔽材が自重等によって離脱してしまい、遮蔽材を安定して吊持できるものではない。
【先行技術文献】
【特許文献】
【０００６】
【特許文献１】特開平６−２２１０６４号公報
【発明の概要】
【発明が解決しようとする課題】
【０００７】
本発明は、遮蔽材がヘッドボックス又はボトムレールに安定して固定されるとともに、容易に取外すことができるハニカムスクリーンを提供することを課題とする。
【課題を解決するための手段】
【０００８】
本発明のハニカムスクリーンは、
生地によって形成された折畳可能な複数の筒体を上下に連接した遮蔽材を有するハニカムスクリーンにおいて、
前記上下に連接した複数の筒体のうち最上のもの又は最下のものは、他の筒体に隣接しない面が切断されて第１の生地端部及び第２の生地端部が形成された端部筒体であり、
前記端部筒体の前記２の生地端部を固定する生地固定具を備えることを特徴とする。
【０００９】
この特徴によれば、生地端部を固定した（すなわち端部筒体及び遮蔽材を保持した）生地固定具が提供される。生地固定具をヘッドボックス又はボトムレールに固定して、遮蔽材をヘッドボックス又はボトムレールに安定して固定することができる。
【００１０】
本発明のハニカムスクリーンは、
前記端部筒体の筒の軸に垂直な断面において、生地から前記第１の生地端部に向かう線と生地から前記第２の生地端部に向かう線とが対向することを特徴とする。
【００１１】
この特徴によれば、端部筒体の第１の生地端部側と第１の生地端部側とが外力に対しておよそ均等な力を受けるように固定することができる。
【００１２】
本発明のハニカムスクリーンは、
ヘッドボックス又はボトムレールに前記生地固定具を把持する把持具を備えることを特徴とする。
【００１３】
この特徴によれば、生地固定具は、ヘッドボックス又はボトムレールに把持されることとなり、遮蔽材がヘッドボックス又はボトムレールに安定して固定する手段が提供される。また、把持を解消して、容易に取外すことができる。
【００１４】
本発明のハニカムスクリーンは、
前記生地固定具のヘッドボックス又はボトムレールから離間した側は、前記端部筒体の生地によって被覆されることを特徴とする。
【００１５】
この特徴によれば、生地固定具のヘッドボックス又はボトムレールから離間した側（視認される側）は端部筒体の生地によって被覆されるので、生地固定具が意匠性を損ねることが少ない。
【００１６】
本発明のハニカムスクリーンは、
前記生地固定具は、板状であり、一面側に前記端部筒体が存し、他面がヘッドボックス又はボトムレールに対向することを特徴とする。
【００１７】
この特徴によれば、生地固定具の端部筒体の生地によって被覆されない側がヘッドボックス又はボトムレールに対向するので、意匠性を損ねることがさらに少なくなる。
【００１８】
本発明のハニカムスクリーンは、
生地によって形成された折畳可能な複数の筒体を上下に連接した遮蔽材を有するハニカムスクリーンにおいて、
前記上下に連接した複数の筒体のうち最上のもの又は最下のものは、他の筒体に隣接しない面が切断されて第１の生地端部及び第２の生地端部が形成された端部筒体であり、
前記端部筒体の前記第１の生地端部を固定する第１の生地固定具と前記第２の生地端部を固定する第２の生地固定具とを備えることを特徴とする。
【００１９】
この特徴によれば、２の生地端部の各々を固定する２の生地固定具によっても上述の効果を得ることができる。
【００２０】
本発明のハニカムスクリーンは、
前記第１の生地固定具には前記第１の生地端部の筒体内側の面が接して固定され、前記第２の生地固定具には前記第２の生地端部の筒体外側の面が接して固定されることを特徴とする。
【００２１】
この特徴によれば、後述の実施例２のように、第１の生地固定具と第２の生地固定具とを同方向に向けることができる。
【００２２】
本発明のハニカムスクリーンは、
ヘッドボックス又はボトムレールに第１の生地固定具及び前記第２の生地固定具を把持する２の把持具を備えることを特徴とする。
【００２３】
この特徴によれば、２の生地固定具によっても上述の効果を得ることができる。
【００２４】
本発明のハニカムスクリーンは、
前記第１の生地固定具及び前記第２の生地固定具のヘッドボックス又はボトムレールから離間した側は、前記端部筒体の生地によって被覆されることを特徴とする。
【００２５】
この特徴によれば、２の生地固定具によっても上述の効果を得ることができる。
【００２６】
本発明のハニカムスクリーンは、
前記第１の生地固定具及び前記第２の生地固定具は、板状であり、一面側に前記端部筒体が存し、他面がヘッドボックス又はボトムレールに対向することを特徴とする。
【００２７】
この特徴によれば、２の生地固定具によっても上述の効果を得ることができる。
【００２８】
本発明のハニカムスクリーンは、
前記把持具及び前記生地固定具の一方に凸部を、他方に凹部を備え、
前記凸部を前記凹部に押入して嵌合させることによって前記把持具が前記生地固定具を把持することを特徴とする。
【００２９】
この特徴によれば、凸部と凹部との嵌合によって、遮蔽材がヘッドボックス又はボトムレールに安定して固定されるとともに、嵌合を外して容易に取外すことができる。
【００３０】
本発明のハニカムスクリーンは、
前記把持具は、前記生地固定具の端部を係止する係止部を備えることを特徴とする。
【００３１】
この特徴によれば、嵌合に加えて、さらに、遮蔽材がヘッドボックス又はボトムレールに安定して固定される。
【発明の効果】
【００３２】
本発明によれば、遮蔽材がヘッドボックス又はボトムレールに安定して固定されるとともに、容易に取外すことができるハニカムスクリーンを提供することができる。
【図面の簡単な説明】
【００３３】
【図１】図１は、ハニカムスクリーンを示す図である。（実施例１）
【図２】図２は、生地固定具への生地端部の固定を示す図である。（実施例１）
【図３】図３は、ヘッドボックス、生地固定具、端部筒体を示す図である。（実施例１）
【図４】図４は、生地固定具のヘッドボックスへの取付を示す図である。（実施例１）
【図５】図５は、生地固定具のボトムレールへの取付を示す図である。（実施例１）
【図６】図６は、ハニカムスクリーンを示す図である。（実施例１）
【図７】図７は、ヘッドボックス、生地固定具、端部筒体を示す図である。（実施例２）
【発明を実施するための形態】
【００３４】
以下、本発明の実施例を説明する。
【実施例１】
【００３５】
図１は、ハニカムスクリーンを示す図である。図１（Ａ）は正面図、図１（Ｂ）は側面図である。ハニカムスクリーン１は、遮蔽材２の上端がヘッドボックス３から垂下され、下端がボトムレール４に係止されている。
【００３６】
遮蔽材２は、生地が側面視６角形状に形成された筒体２１が連なったものである。ここで、上端の端部筒体２１ａとヘッドボックス３との結合、及び下端の端部筒体２１ｂとボトムレール４との結合をいかに構成するかが問題となる。
【００３７】
図２は、生地固定具への生地端部の固定を示す図である。端部筒体２１ａは、側面視における６角形状の１点が切り離され（生地が図１（Ａ）の左右方向、図１（Ｂ）の紙面垂直方向の直線に沿って切断され）、第１の生地端部２１ａ１及び第２の生地端部２１ａ２が形成されている。すなわち、端部筒体２１ａの生地は、側面視において６角形状ではなく、左右方向に任意の形状に折れ曲がって第１の生地端部２１ａ１及び第２の生地端部２１ａ２まで伸びることができる。この特徴を活用して、端部筒体２１ａの生地（の第１の生地端部２１ａ１及び第２の生地端部２１ａ２）を、生地固定具５に固定する。
【００３８】
生地固定具５は、後述する凹部５１を除き、略板状に形成されている。
【００３９】
図２（Ａ）に、生地固定具への生地端部の固定の１方式を示す。図面左側においては、第１の生地端部２１ａ１が生地固定具５の左端で折り返されて生地固定具５の上面に達し、生地固定具５にホチキス止めされている（ホチキス針６を示す）。
【００４０】
図面右側においても、第２の生地端部２１ａ２が生地固定具５の右端で折り返されて生地固定具５の上面に達し、生地固定具５にホチキス止めされている（ホチキス針６を示す）。
【００４１】
図２（Ｂ）に、生地固定具への生地端部の固定の他の１方式を示す。第１の生地端部２１ａ１及び第２の生地端部２１ａ２は、図２（Ａ）と同様に配されている。ホチキス止めに替えて、両面テープ６ａによって固定されている。第１の生地端部２１ａ１及び第２の生地端部２１ａ２と生地固定具５との間に存し、視認できない両面テープ６ａを図に破線で示す。
【００４２】
なお、第１の生地端部２１ａ１及び第２の生地端部２１ａ２の生地固定具５への固定は、ホチキス止め、両面テープによる固定に限らず、任意の手法でよい。例えば、接着してもよい。
【００４３】
図３は、ヘッドボックス、生地固定具、端部筒体を示す図である。図２におけるＡ−Ａ線の断面（すなわち端部筒体の筒の軸に垂直な断面）を示したものである。図３（Ａ）にヘッドボックス３の下部を、図３（Ｂ）に生地固定具５、それに固定された端部筒体２１ａ、及びその直下の筒体２１の一部を示す。
【００４４】
ここで、生地から第１の生地端部２１ａ１に向かう線（図中白矢印）と生地から第２の生地端部２１ａ２に向かう線（図中黒矢印）とは、対向している。遮蔽材２の重量、遮蔽材２の振動等による外力が、第１の生地端部２１ａ１と第２の生地端部２１ａ２とにほぼ均等に作用し、安定した固定となる。
【００４５】
ヘッドボックス３は、凸部３１及び係止部３２を備えている。凸部３１及び係止部３２は、生地固定具５を把持する把持具として作用する。
【００４６】
生地固定具５は、凹部５１を備えている。凹部５１は、凸部３１と互いに嵌合する。
【００４７】
ここで、第１の生地端部２１ａ１と第２の生地端部２１ａ２とで、生地固定具５へのホチキス止めの止め方が相違する。第１の生地端部２１ａ１は、生地固定具５の両面で生地にホチキス針６が貫通している。これに対し、第２の生地端部２１ａ２は、生地固定具５の上面のみで生地にホチキス針６が貫通し、下面では生地にホチキス針６が貫通しない。第２の生地端部２１ａ２を生地固定具５の上面のみに配してホチキス止めし、その後に生地を生地固定具５の下面に回しこみ、最後に第１の生地端部２１ａ１を生地固定具５の両面に配してホチキス止めすることで、かかる形態とすることができる。
【００４８】
図４は、生地固定具のヘッドボックスへの取付を示す図である。生地固定具５には、端部筒体２１ａの生地が固定されている。
【００４９】
まず、図４（Ａ）に示すように、生地固定具５の凹部５１から離れた側の端部５２を、係止部３２の上方に配する。
【００５０】
次に、図４（Ｂ）に示すように、生地固定具５を上昇させて凹部５１を凸部３１に嵌合する。これにより、生地固定具５が凹部５１及び端部５２においてヘッドボックス３に把持され、安定してヘッドボックス３に取付けられる。
【００５１】
図４（Ｂ）から分かるように、生地固定具５は、ヘッドボックス３に取り付けられた状態において、ヘッドボックス３から離間した側（図４（Ｂ）における下側）が端部筒体２１ａの生地によって被覆されている。視認されることがなく、ロールスクリーン１の意匠性を保つ。
【００５２】
ここで、第１の生地端部２１ａ１側のホチキス針６は、図面下方において係止部３２に被覆されて視認されない。これに対し、第２の生地端部２１ａ２側のホチキス針６は、図面下方においてヘッドボックス３（の部分）によって被覆されないので、上述のように第２の生地端部２１ａ２を生地固定具５の上面のみに配してホチキス止めし下面を生地で被覆することで、視認されないようにする。これによって、ロールスクリーン１の意匠性を保つ。
【００５３】
また、生地固定具５のヘッドボックス３の側（図４（Ｂ）における上側）は、ヘッドボックス３に対向している。ヘッドボックス３に近接した位置に配され、ロールスクリーン１の意匠性を保つ。
【００５４】
生地固定具５をヘッドボックス３から取外す際には、以上の手順の逆の操作によって、容易に取外すことができる。
【００５５】
以上、端部筒体２１ａとヘッドボックス３との結合について説明したが、端部筒体２１ｂとボトムレール４との結合も、上下を逆にして同様に構成することができる。
【００５６】
図５は、生地固定具のボトムレールへの取付を示す図である。ボトムレール４には、凸部４１及び係止部４２が設けられ、ヘッドボックス３の凸部３１及び係止部３２と同様に作用する。第１の生地端部２１ａ１と第２の生地端部２１ａ２とで、生地固定具５へのホチキス止めの止め方を相違させることで、ボトムレール４の一部に被覆されないホチキス針６が生地に被覆されて視認されないようにする点は、ヘッドボックス３への固定と同様である。
【００５７】
図６は、ハニカムスクリーンを示す図である。図１ではコードであった遮蔽材２を上下させる仕組みが、チェーンとなったものである。
【００５８】
以上詳細に説明したように、本実施例のハニカムスクリーン１は、生地固定具５に第１の生地端部２１ａ１及び第２の生地端部２１ａ２を固定し、遮蔽材２を、生地固定具５を介してヘッドボックス３又はボトムレール４に安定して固定することができるとともに、容易に取外すことができる。
【実施例２】
【００５９】
本実施例は、２の生地固定具を用いるものである。この点を除き実施例１と同様であるので、実施例１と同様の箇所については詳細な説明を省略する。
【００６０】
図７は、ヘッドボックス、生地固定具、端部筒体を示す図である。実施例１における図４（Ｂ）に対応する図である。
【００６１】
第１の生地固定具５ａ及び第２の生地固定具５ｂが設けられている。ヘッドボックス３は、２の生地固定具５ａ、５ｂに対応して、それぞれ２の凸部３１ａ及び３１ｂ、並びに、係止部３２ａ及び３２ｂを備えている。
【００６２】
第１の生地固定具５ａには、第１の生地端部２１ａ１が固定される。第２の生地固定具５ｂには、第２の生地端部２１ａ２が固定される。
【００６３】
第１の生地固定具５ａ及び第２の生地固定具５ｂは、それぞれ、凹部５１a及び端部５２a、並びに、凹部５１ｂ及び端部５２ｂにおいて、実施例１と同様にヘッドボックス３に把持され、安定してヘッドボックス３に取付けられる。また、ヘッドボックス３から容易に取外すことができる。
【００６４】
なお、本実施例においては、ホチキス針６は係止部３２ａ及び３２ｂによって被覆されるので、第１の生地端部２１ａ１及び第２の生地端部２１ａ２は、共に生地固定具５の両面で生地にホチキス針６が貫通している。
【００６５】
ここで、第１の生地端部２１ａ１は、その筒体内側の面が第１の生地固定具５ａに接して固定されている。一方、第２の生地端部２１ａ２は、その筒体外側の面が第２の生地固定具５ｂに接して固定されている。図７のように、第１の生地固定具５ａ及び第２の生地固定具５ｂを同方向に向けると、このようになる。
【００６６】
なお、第２の生地固定具５ｂを逆方向に向けて（図において左右反転させて）、第１の生地端部２１ａ１及び第２の生地端部２１ａ２の両方の筒体内側の面を第１の生地固定具５ａ及び第２の生地固定具５ｂに接するようにすることもできる。この場合、第１の生地固定具５ａ及び第２の生地固定具５ｂが端部筒体２１ａの生地によって被覆され、視認されることがなくなる。
【００６７】
以上詳細に説明したように、本実施例のハニカムスクリーン１は、第１の生地固定具５ａ及び第２の生地固定具５ｂを用いて、実施例１のハニカムスクリーン１と同様に、遮蔽材２を、生地固定具５ａ、５ｂを介してヘッドボックス３又はボトムレール４に安定して固定することができるとともに、容易に取外すことができる。
【産業上の利用可能性】
【００６８】
遮蔽材がヘッドボックス又はボトムレールに安定して固定されるとともに、容易に取外すことができるハニカムスクリーン、及び該ハニカムスクリーンに用いられる生地固定具である。多くの家庭及び内装工事業者による利用が考えられる。
【符号の説明】
【００６９】
１        ハニカムスクリーン
２        遮蔽材
２１      筒体
２１ａ    端部筒体
２１ａ１  第１の生地端部
２１ａ２  第２の生地端部
２１ｂ    端部筒体
３        ヘッドボックス
３１      凸部
３２      係止部
４        ボトムレール
４１      凸部
４２      係止部
５        生地固定具
５ａ      第１の生地固定具
５ｂ      第２の生地固定具
５１      凹部
５２      端部
６        ホチキス針
６ａ      両面テープ
【図１】
2019173517.tif 000003
【図２】
2019173517.tif 000004
【図３】
2019173517.tif 000005
【図４】
2019173517.tif 000006
【図５】
2019173517.tif 000007
【図６】
2019173517.tif 000008
【図７】
2019173517.tif 000009